(57)【特許請求の範囲】
【請求項１】
第１基板、
前記第１基板上に形成された複数の有機発光素子、
前記複数の有機発光素子を間において前記第１基板と対向離隔した第２基板、
前記第２基板と前記有機発光素子との間及び前記第１基板と前記有機発光素子との間のうちの一つ以上の位置に形成された複数のカラーフィルター、及び前記第１基板と対向する前記第２基板の一面と反対になる前記第２基板の他面及び前記第２基板と対向する前記第１基板の一面と反対になる前記第１基板の他面のうちの一つ以上の他面に形成され、導電性物質で形成された視差バリアパターンを含み、
前記第２基板と前記複数のカラーフィルターとの間に透明な導電性物質で形成され、タッチスクリーンの少なくとも一部を構成する、タッチ電極を含み、
前記第２基板、前記視差バリアパターンは前記タッチスクリーンの役割を果たす
ことを特徴とする、有機発光表示装置。
【請求項２】
前記複数のカラーフィルターは、前記複数の有機発光素子と対向する前記第２基板の前記一面に形成され、
前記視差バリアパターンは、前記第２基板の前記他面に形成されたことを特徴とする、請求項１に記載の有機発光表示装置。
【請求項３】
前記複数のカラーフィルターは、前記複数の有機発光素子と前記第１基板の前記一面との間に形成され、
前記視差バリアパターンは、前記第１基板の前記他面に形成された
ことを特徴とする、請求項１に記載の有機発光表示装置。
【請求項４】
前記複数のカラーフィルターは、複数の左眼用カラーフィルターと複数の右眼用カラーフィルターとに区分されたことを特徴とする、請求項１に記載の有機発光表示装置。
【請求項５】
前記視差バリアパターンはストライプ状で形成されたことを特徴とする、請求項４に記載の有機発光表示装置。
【請求項６】
前記左眼用カラーフィルター及び前記右眼用カラーフィルターは、各々前記視差バリアパターンと平行な方向に連続的に配列されたことを特徴とする、請求項５に記載の有機発光表示装置。
【請求項７】
前記左眼用カラーフィルターと前記右眼用カラーフィルターは、前記視差バリアパターンと交差する方向に交互的に配列されたことを特徴とする、請求項６に記載の有機発光表示装置。
【請求項８】
前記視差バリアパターンは、前記カラーフィルターの一側と重なったことを特徴とする、請求項５に記載の有機発光表示装置。
【請求項９】
一つの前記左眼用カラーフィルターは、前記視差バリアパターンと重ならない他側と隣接した一つの前記右眼用カラーフィルターが対になることを特徴とする、請求項８に記載の有機発光表示装置。
【請求項１０】
前記左眼用カラーフィルターを通過した光が形成する画像と前記右眼用カラーフィルターを通過した光が形成する画像を互いに同一にして二次元画像を表示することを特徴とする、請求項８に記載の有機発光表示装置。
【請求項１１】
前記左眼用カラーフィルターを通過した光が形成する画像と前記右眼用カラーフィルターを通過した光が形成する画像を互いに相違させて三次元画像を表示することを特徴とする、請求項８に記載の有機発光表示装置。
【請求項１２】
前記複数のカラーフィルターと前記視差バリアパターンとの間に配置された前記第１基板及び前記第２基板のうちの一つ以上の基板の厚さは０．１ｍｍ乃至０．７ｍｍ範囲内の厚さを有することを特徴とする、請求項１に記載の有機発光表示装置。
【請求項１３】
前記複数のカラーフィルターは複数の色を含むことを特徴とする、請求項１に記載の有機発光表示装置。
【請求項１４】
前記複数の有機発光素子は単一色の光を放出することを特徴とする、請求項１３に記載の有機発光表示装置。
【請求項１５】
前記複数の有機発光素子は白色光を放出することを特徴とする、請求項１３に記載の有機発光表示装置。
【請求項１６】
前記第１基板と前記第２基板の周縁の間に配置され、前記第１基板と前記第２基板を互いに合着密封させるシーラントをさらに含むことを特徴とする、請求項１に記載の有機発光表示装置。
【請求項１７】
前記第２基板、前記視差バリアパターン、及び前記タッチ電極は静電容量方法によって作動する
ことを特徴とする、請求項１乃至請求項１６のいずれか一項に記載の有機発光表示装置。
【発明の詳細な説明】
【技術分野】
【０００１】
本発明の実施形態は有機発光表示装置に関し、より詳しくは、三次元画像の表示が可能な有機発光表示装置に関する。
【背景技術】
【０００２】
有機発光表示装置（ｏｒｇａｎｉｃ  ｌｉｇｈｔ  ｅｍｉｔｔｉｎｇ  ｄｉｏｄｅ  ｄｉｓｐｌａｙ）は自発光特性を有し、液晶表示装置とは異なって別途の光源を必要としないため、厚さと重さを減らすことができる。
【０００３】
一方、最近では三次元画像をもっとリアルに表示することができる表示装置に対する需要が増加している。三次元画像は表示装置を利用するユーザの左眼と右眼が各々認識する画像を互いに分離して見えるようにする方法によって表示できる。つまり、表示装置が表示する画像に視差を起こして三次元画像を実現することができる。
【０００４】
しかし、有機発光表示装置が三次元画像を表示するためには追加の構成が必要であり、これによって構成が複雑になり、有機発光表示装置の厚さと重さが増加する問題がある。
【発明の概要】
【発明が解決しようとする課題】
【０００５】
本発明の実施形態は、三次元画像を簡単な構成によって効果的に表示できる有機発光表示装置を提供することを目的とする。
【課題を解決するための手段】
【０００６】
本発明の実施形態によると、有機発光表示装置は、第１基板と、前記第１基板上に形成された複数の有機発光素子と、前記複数の有機発光素子を間において前記第１基板と対向離隔した第２基板と、前記第２基板と前記有機発光素子との間及び前記第１基板と前記有機発光素子との間のうちの一つ以上の位置に形成された複数のカラーフィルターと、前記第１基板と対向する前記第２基板の一面と反対になる前記第２基板の他面及び前記第２基板と対向する前記第１基板の一面と反対になる前記第１基板の他面のうちの一つ以上の他面に形成された視差バリアパターンとを含む。
【０００７】
前記複数のカラーフィルターは、前記複数の有機発光素子と対向する前記第２基板の前記一面に形成されてもよい。また、前記視差バリアパターンは、前記第２基板の前記他面に形成されてもよい。
【０００８】
前記複数のカラーフィルターは、前記複数の有機発光素子と前記第１基板の前記一面との間に形成されてもよい。また、前記視差バリアパターンは、前記第１基板の前記他面に形成されてもよい。
【０００９】
前記複数のカラーフィルターは、複数の左眼用カラーフィルターと複数の右眼用カラーフィルターとに区分されてもよい。
【００１０】
前記視差バリアパターンはストライプ（ｓｔｒｉｐｅ）状で形成されてもよい。
【００１１】
前記左眼用カラーフィルター及び前記右眼用カラーフィルターは、各々前記視差バリアパターンと平行な方向に連続的に配列されてもよい。
【００１２】
前記左眼用カラーフィルターと前記右眼用カラーフィルターは、前記視差バリアパターンと交差する方向に交互的に配列されてもよい。
【００１３】
前記視差バリアパターンは前記カラーフィルターの一側と重なってもよい。
【００１４】
一つの前記左眼用カラーフィルターは、前記視差バリアパターンと重ならない他側と隣接した一つの前記右眼用カラーフィルターと対を成してもよい。
【００１５】
前記左眼用カラーフィルターを通過した光が形成する画像と前記右眼用カラーフィルターを通過した光が形成する画像を互いに同一にして二次元画像を表示してもよい。
【００１６】
前記左眼用カラーフィルターを通過した光が形成する画像と前記右眼用カラーフィルターを通過した光が形成する画像を互いに相違させて三次元画像を表示してもよい。
【００１７】
前記複数のカラーフィルターと前記視差バリアパターンとの間に配置された前記第１基板及び前記第２基板のうちの一つ以上の基板の厚さの範囲は０．１ｍｍ乃至０．７ｍｍであってもよい。
【００１８】
前記複数のカラーフィルターは複数の色を含んでもよい。
【００１９】
前記複数の有機発光素子は単一色の光を放出してもよい。
【００２０】
前記複数の有機発光素子は白色光を放出してもよい。
【００２１】
前記第１基板と前記第２基板の周縁との間に配置され、前記第１基板と前記第２基板を互いに合着密封させるシーラントをさらに含んでもよい。
【００２２】
前記有機発光表示装置において、前記視差バリアパターンは導電性物質で形成されてもよい。
【００２３】
前記第２基板と前記複数のカラーフィルターとの間に透明な導電性物質で形成されたタッチ電極をさらに含み、前記第２基板、前記視差バリアパターン、及び前記タッチ電極はタッチスクリーンの役割を果たしてもよい。
【００２４】
前記第２基板、前記視差バリアパターン、及び前記タッチ電極は静電容量方法によって作動してもよい。
【発明の効果】
【００２５】
本発明の実施形態によると、有機発光表示装置は、三次元画像を簡単な構成によって効果的に表示できる。
【図面の簡単な説明】
【００２６】
【図１】本発明の第１実施形態に係る有機発光表示装置の断面図である。
【図２】図１のカラーフィルター及び視差バリアパターンの配置を示した平面図である。
【図３】図１の有機発光表示装置の部分拡大断面図である。
【図４】本発明の第２実施形態に係る有機発光表示装置の断面図である。
【図５】本発明の第３実施形態に係る有機発光表示装置の断面図である。
【発明を実施するための形態】
【００２７】
以下、添付した図面を参照して、本発明の多様な実施形態について本発明が属する技術分野において通常の知識を有する者が容易に実施できるように詳しく説明する。本発明は多様に異なる形態で実施され、ここで説明する実施形態に限られない。
【００２８】
また、明細書全体にわたって同一または類似する構成要素については同一な参照符号を付与する。また、多様な実施形態において、第１実施形態以外の実施形態では第１実施形態と異なる構成を中心に説明する。
【００２９】
また、図面に示した各構成の大きさ及び厚さは、説明の便宜のために任意に示したため、本発明が必ずしも示されたとおりであるとは限られない。図面において、複数の層及び領域を明確に表示するために、厚さを拡大して示した。なお、図面において、説明の便宜のために、一部の層及び領域の厚さを誇張して示した。層、膜、領域、板等の部分が他の部分の「上」または「上部」にあるとする時、これは他の部分の「直上」にある場合だけでなく、その中間にさらに他の部分が存在する場合も含む。
【００３０】
以下、図１を参照して、本発明の第１実施形態に係る有機発光表示装置１０１を説明する。
【００３１】
図１に示したように、有機発光表示装置１０１は、第１基板１１１、有機発光素子７０、第２基板２１１、カラーフィルター２７０、及び視差バリア（ｂａｒｒｉａｒ）パターン２５０を含む。さらに、有機発光表示装置１０１は、複数の画素を通して画像を表示する。つまり、画素は有機発光表示装置１０１が画像を表示するために光を放出する最小単位となる。
【００３２】
また、有機発光表示装置１０１はシーラント５００をさらに含む。シーラント５００は第１基板１１１と第２基板２１１の周縁の間に配置され、第１基板１１１と第２基板２１１を互いに合着密封する。シーラント５００としては当該技術分野の従事者に公知された多様な素材が用いられてもよい。
【００３３】
第１基板１１１はガラス、石英、及びセラミック等で生成された透明な絶縁性基板で形成されたり、プラスチック等で生成された透明なフレキシブル（ｆｌｅｘｉｂｌｅ）基板で形成されてもよい。また、第１基板１１１は、前述した物質以外に当該技術分野の従事者に公知された多様な物質で形成されてもよい。
【００３４】
有機発光素子７０は第１基板１１１上に形成される。また、第１基板１１１上には薄膜トランジスタ１０（図２に図示）を含む多様な回路素子が形成される。有機発光素子７０は、薄膜トランジスタ１０から伝達された駆動信号によって光を放出して画像を表示する。有機発光素子７０及びこれを駆動する薄膜トランジスタ１０は、当該技術分野の従事者に公知された多様な構造で形成されてもよい。
【００３５】
また、有機発光素子７０は複数形成され、複数の画素に各々対応する。本発明の第１実施形態において、複数の有機発光素子７０は単一色の光を放出する。例えば、有機発光素子７０は白色光を放出する。
【００３６】
また、本発明の第１実施形態において、有機発光素子７０は第２基板２１１の方向に光を放出する。
【００３７】
第２基板２１１は、有機発光素子７０を間において第１基板１１１と対向離隔する。また、第２基板２１１は、第１基板１１１と同様に、ガラス、石英、セラミック、及びプラスチック等、当該技術分野の従事者に公知された多様な物質で形成されてもよい。さらに、第２基板２１１は、有機発光素子７０から放出した光が透過できるように透明に形成される。
【００３８】
視差バリアパターン２５０は、第１基板１１１と対向する第２基板２１１の一面と反対になる第２基板２１１の他面に形成される。つまり、視差バリアパターン２５０は、第２基板１１１の有機発光素子７０と対向する面の反対面に形成される。
【００３９】
また、視差バリアパターン２５０は、図２に示したように、ストライプ（ｓｔｒｉｐｅ）状で形成される。例えば、視差バリアパターン２５０は、複数の画素の長手方向と交差する方向に長さを有するストライプ状で形成されてもよい。
【００４０】
また、視差バリアパターン２５０をカーボンブラック及び金属等のように光を遮断できる当該技術分野の従事者に公知された多様な物質で形成してもよい。
【００４１】
カラーフィルター２７０は、有機発光素子７０と対向する第２基板２１１の一面に形成される。カラーフィルター２７０は複数形成され、複数の有機発光素子７０に各々対応する。さらに、複数のカラーフィルター７０は複数の色を含む。つまり、カラーフィルター２７０は、有機発光素子７０から放出した白色光に色を付与する。図２において、複数のカラーフィルター２７０は、赤色カラーフィルター、緑色カラーフィルター、及び青色カラーフィルターを含むが、本発明の第１実施形態がこれに限定されるのではない。また、カラーフィルター２７０は、当該技術分野の従事者に公知された多様な素材で形成されてもよい。
【００４２】
複数のカラーフィルター２７０は、図３に示したように、複数の左眼用カラーフィルター２７１と複数の右眼用カラーフィルター２７２とに区分される。左眼用カラーフィルター２７１及び右眼用カラーフィルター２７２は、各々視差バリアパターン２５０と平行な方向に連続的に配列される。また、左眼用カラーフィルター２７１と右眼用カラーフィルター２７２は、視差バリアパターン２５０と交差する方向に交互的に配列される。さらに、視差バリアパターン２５０はカラーフィルター２７０の一側と重なる。つまり、一つの左眼用カラーフィルター２７１及び一つの右眼用カラーフィルター２７２の一側は、各々視差バリアパターン２５０と重なる。
【００４３】
また、一つの左眼用カラーフィルター２７１と一つの右眼用カラーフィルター２７２が一対をなす。この時、対をなす左眼用カラーフィルター２７１と右眼用カラーフィルター２７２は、各々視差バリアパターン２５０と重ならない他側が互いに隣接するように配置される。
【００４４】
カラーフィルター２７０と視差バリアパターン２５０は第２基板２１１を間において配置される。つまり、第２基板２１１の厚さに応じてカラーフィルター２７０と視差バリアパターン２５０との間の離隔距離が決定される。具体的には、第２基板２１１は０．１ｍｍ乃至０．７ｍｍ範囲内の厚さを有する。第２基板２１１は視差バリアパターン２５０が左眼画像と右眼画像を相違させるように適切な範囲内の厚さを有する。
【００４５】
このように、カラーフィルター２７０と視差バリアパターン２５０が離隔することにより、有機発光表示装置１０１が三次元画像を表示することができる。有機発光素子７０から放出された光は、カラーフィルター２７０を通過しながら色を有して画像を表示するようになる。この時、視差バリアパターン２５０は、カラーフィルター２７０を通過した光を部分的に覆い、ユーザが左眼で見た画像と右眼で見た画像を相違させる。つまり、有機発光表示装置１０１が表示する互いに異なる二次元の左眼画像と右眼画像が組み合わされて三次元画像が実現される。
【００４６】
このような構成により、有機発光表示装置１０１は、三次元画像を簡単な構成によって効果的に表示することができる。つまり、有機発光表示装置１０１は三次元画像を表示でき、かつ厚さの増加を最小化して構成を簡素化することができる。
【００４７】
有機発光表示装置１０１は、左眼用カラーフィルター２７１を通過した光が形成する画像と右眼用カラーフィルター２７２を通過した光が形成する画像をユーザの視覚で互いに異ならせて三次元画像を表示してもよい。
【００４８】
一方、有機発光表示装置１０１は、左眼用カラーフィルター２７１を通過した光が形成する画像と右眼用カラーフィルター２７２を通過した光が形成する画像を互いに同一にして二次元画像を表示してもよい。
【００４９】
以下、図２を参照して、本発明の第１実施形態に係る有機発光表示装置１０１の構造を薄膜トランジスタ１０と有機発光素子７０を中心に詳しく説明する。
【００５０】
第１基板１１１上にゲート電極１２１が形成される。ゲート電極１２１は通常、モリブデン（Ｍｏ）、クロム（Ｃｒ）、アルミニウム（Ａｌ）、銀（Ａｇ）、チタン（Ｔｉ）、タンタル（Ｔａ）、及びタングステン（Ｗ）のうちの一つ以上を含んでもよい。しかし、本発明の第１実施形態がこれに限定されるのではない。ゲート電極１２１は電気的特性に優れた多様な金属で形成されてもよい。
【００５１】
また、図示していないが、第１基板１１１とゲート電極１２１との間にバッファー層が形成されてもよい。例えば、バッファー層は、窒化ケイ素（ＳｉＮｘ）の単一膜または窒化ケイ素（ＳｉＮｘ）と酸化ケイ素（ＳｉＯ２）が積層された二重膜構造で形成されてもよい。バッファー層は不純元素または水分のように不要な成分の浸透を防止し、表面を平坦化する役割を果たす。バッファー層は第１基板１１１の種類及び工程条件に応じて使用したり省略してもよい。
【００５２】
ゲート電極１２１上にはゲート絶縁膜１３０が形成される。ゲート絶縁膜１３０は、テトラエトキシラン（ｔｅｔｒａ  ｅｔｈｙｌ  ｏｒｔｈｏ  ｓｉｌｉｃａｔｅ、ＴＥＯＳ）、窒化ケイ素、酸化ケイ素、及び窒酸化ケイ素のうちの一つ以上を含む。例えば、ゲート絶縁膜１３０は、４０ｎｍの厚さを有する窒化シリコン膜と８０ｎｍの厚さを有するテトラエトキシシラン膜が順に積層された二重膜で形成されてもよい。
【００５３】
ゲート絶縁膜１３０上には半導体層１４５が形成される。半導体層は薄膜トランジスタの種類に応じて多様な素材で形成されてもよい。つまり、半導体層は、非晶質シリコン（ａｍｏｒｐｈｏｕｓ  ｓｉｌｉｃｏｎ）、多結晶シリコン（ｐｏｌｙｃｒｙｓｔａｌ  ｓｉｌｉｃｏｎ）、及び酸化物半導体等で形成されてもよい。
【００５４】
半導体層１４５上には各々半導体層１４５の一部と接触するソース電極１５６及びドレイン電極１５７が形成される。ソース電極１５６及びドレイン電極１５７は互いに離隔配置する。
【００５５】
また、ソース電極１５６及びドレイン電極１５７は、ゲート電極１２１と同様に、モリブデン（Ｍｏ）、クロム（Ｃｒ）、アルミニウム（Ａｌ）、銀（Ａｇ）、チタン（Ｔｉ）、タンタル（Ｔａ）、及びタングステン（Ｗ）のうちの一つ以上を含んでもよい。
【００５６】
このように、薄膜トランジスタ１０は、ゲート電極１２１、半導体層１４５、ソース電極１５６、及びドレイン電極１５７を含む。
【００５７】
また、有機発光表示装置１０１は、図２に示した薄膜トランジスタ１０以外に一つ以上の薄膜トランジスタをさらに含む。
【００５８】
また、本発明の第１実施形態において、薄膜トランジスタ１０が前述した構造に限定されるのではなく、薄膜トランジスタ１０は当該技術分野の従事者に公知された多様な構造を有してもよい。
【００５９】
ソース電極１５６及びドレイン電極１５７の上には平坦化膜１６０が形成される。平坦化膜１６０はドレイン電極１５７の一部を露出する接触孔１６７を有する。平坦化膜１６０は平坦化特性を有する有機膜で形成されてもよい。さらに、平坦化膜１６０は場合によっては省略してもよい。
【００６０】
平坦化膜１６０上には画素電極７１０が形成される。画素電極７１０は有機発光層７２０に正孔を注入する正孔注入電極となる。
【００６１】
また、平坦化膜１６０上には画素電極７１０の少なくとも一部を露出する開口部１９５を有する画素定義膜１９０が形成される。画素定義膜１９０の開口部１９５は、光が発生する発光領域を定義する。
【００６２】
画素電極７１０上には有機発光層７２０が形成される。さらに、有機発光層７２０上には共通電極７３０が形成される。共通電極７３０は有機発光層７２０に電子を注入する電子注入電極となる。
【００６３】
また、本発明の第１実施形態において、画素電極７１０は反射電極または半透過電極で形成され、共通電極７３０は透明電極で形成される。
【００６４】
反射電極は、アルミニウム（Ａｌ）、ニッケル（Ｎｉ）、モリブデン（Ｍｏ）、金（Ａｕ）、白金（Ｐｔ）、タングステン（Ｗ）、及び銅（Ｃｕ）等の金属物質で形成されてもよい。半透過電極は反射電極の厚さを薄くして形成されてもよい。透明電極は、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＺＩＴＯ（Ｚｉｎｃ  Ｉｎｄｉｕｍ  ＴｉｎＯｘｉｄｅ）、ＧＩＴＯ（Ｇａｌｌｉｕｍ  Ｉｎｄｉｕｍ  Ｔｉｎ  Ｏｘｉｄｅ）、Ｉｎ２Ｏ３（Ｉｎｄｉｕｍ  Ｏｘｉｄｅ）、ＺｎＯ（Ｚｉｎｃ  Ｏｘｉｄｅ）、ＧＩＺＯ（Ｇａｌｌｉｕｍ  Ｉｎｄｉｕｍ  Ｚｉｎｃ  Ｏｘｉｄｅ）、ＧＺＯ（Ｇａｌｌｉｕｍ  Ｚｉｎｃ  Ｏｘｉｄｅ）、ＦＴＯ（Ｆｌｕｏｒｉｎｅ  Ｔｉｎ  Ｏｘｉｄｅ）、及びＡＺＯ（Ａｌｕｍｉｎｕｍ-Ｄｏｐｅｄ  Ｚｉｎｃ  Ｏｘｉｄｅ）のうちの一つ以上を含んで形成されてもよい。
【００６５】
このような構造により、有機発光層７２０から発生した光は第２基板２１１方向に放出される。つまり、本発明の第１実施形態に係る有機発光表示装置１０１は、前面方向に光を放出して画像を表示する前面発光型構造を有する。
【００６６】
第２基板２１１は第１基板１１１と対向配置されて有機発光素子７０をカバーする。カラーフィルター２７０は有機発光素子７０と対向する第２基板２１１の一面に形成され、視差バリアパターン２５０は反対になる第２基板２１１の他面に形成される。
【００６７】
以下、図４を参照して、本発明の第２実施形態に係る有機発光表示装置１０２を説明する。
【００６８】
図４に示したように、本発明の第２実施形態において、複数のカラーフィルター３７０は有機発光素子７０と第１基板１１１との間に形成される。さらに、視差バリアパターン３５０は有機発光素子７０と対向する第１基板１１１の一面と反対になる他面に形成される。つまり、複数のカラーフィルター３７０及び視差バリアパターン３５０は第１基板１１１を間において形成される。
【００６９】
また、有機発光素子７０は第１基板１１１の方向に光を放出する。つまり、本発明の第２実施形態に係る有機発光表示装置１０２は、背面方向に光を放出して画像を表示する背面発光型構造を有する。この時、有機発光素子７０の画素電極７１０（図３に図示）は透明電極で形成され、共通電極７３０（図３に図示）は反射電極または半透過電極で形成される。
【００７０】
このような構成により、有機発光表示装置１０２は背面発光型構造を有しながらも、三次元画像を簡素な構成によって効果的に表示することができる。
【００７１】
以下、図５を参照して、本発明の第３実施形態に係る有機発光表示装置１０３を説明する。
【００７２】
図５に示したように、有機発光表示装置１０３は、複数のカラーフィルター４７０と第２基板２１１との間に配置されたタッチ電極４４０をさらに含む。タッチ電極４４０は透明な導電性物質で形成される。さらに、視差バリアパターン４５０は導電性物質で形成される。ここで、タッチ電極４４０、第２基板２１１、及び視差バリアパターン４５０はタッチスクリーンの役割を果たす。
【００７３】
図５において、タッチ電極４４０、第２基板２１１、及び視差バリアパターン４５０は静電容量方法（ｃａｐａｃｉｔｉｖｅ  ｏｖｅｒｌａｙ）によって作動する。つまり、第２基板２１１の両面に各々形成された視差バリアパターン４５０及びタッチ電極４４０に電圧をかけると第２基板２１１の表面に高周波が拡散し、ユーザの指等が接触する時に変化した高周波波形をコントローラーで分析してタッチ点を認識する。
【００７４】
しかし、本発明の第３実施形態が前述したところに限定されるのではなく、タッチ電極４４０、第２基板２１１、及び視差バリアパターン４５０は超音波方法のように当該技術分野の従事者に公知された多様な方法によって作動してもよい。
【００７５】
このような構成により、有機発光表示装置１０３はタッチスクリーン機能を有しながらも、三次元画像を簡素な構成によって効果的に表示することができる。
【００７６】
以上、本発明を望ましい実施形態を通して説明したが、本発明はこれに限定されず、特許請求の範囲の概念と範囲を逸脱しない限り、多様な修正及び変形が可能であることは本発明が属する技術分野の従事者は簡単に理解できるであろう。
【符号の説明】
【００７７】
１０        薄膜トランジスタ
７０        有機発光素子
１０１      有機発光表示装置
１１１、２１１      基板
２５０      視差バリアパターン
２７０      カラーフィルター
２７１      左眼用カラーフィルター
２７２      右眼用カラーフィルター
５００      シーラント
【図１】
0005769440.tif 000002
【図２】
0005769440.tif 000003
【図３】
0005769440.tif 000004
【図４】
0005769440.tif 000005
【図５】
0005769440.tif 000006